(57)【特許請求の範囲】
【請求項１】
所定の筐体を備える記録媒体に装着された媒体側フレームと、
該媒体側フレームを着脱可能とし、該媒体側フレームの装着時に当該媒体側フレームが固定される形状の本体側フレームと、
該本体側フレームが載置される装置シャーシと、
該装置シャーシに前記本体側フレームを固定する固定治具と、
前記本体側フレームと、前記装置シャーシおよび前記固定治具との間に介在させた緩衝部材と、を備え、
前記本体側フレームは、側壁と、該側壁から外方へ突出する平板状の当接用フランジと、固定用フランジと、を備え、
前記固定治具は、前記側壁に対向する第１固定用平板部と、前記当接用フランジの平板面と対向する第２固定用平板部と、を備え、
前記側壁と前記第１固定用平板部との間、前記当接用フランジと前記装置シャーシとの間、および前記当接用フランジと前記第２固定用平板部との間に前記緩衝部材が介在することにより、該本体側フレームは、前記装置シャーシおよび固定治具により狭持され、
前記固定用フランジは、平板状であり、前記側壁の両端において該側壁から外方へ突出し、かつネジ穴が形成されていて、
前記当接用フランジは、前記装置シャーシおよび固定治具にネジ止めされない、記録媒体の取付構造。
【請求項２】
請求項１に記載の記録媒体の取付構造であって、
前記当接用フランジは、前記本体側フレームにおける前記側壁に沿った両端近傍にそれぞれ形成されており、
前記第２固定用平板部および前記緩衝部材は、前記当接用フランジ毎に備えられている、記録媒体の取付構造。
【請求項３】
請求項１または請求項２に記載の記録媒体の取付構造であって、
前記本体側フレームは、側壁面の内側に沿って前記媒体側フレームが挿通する、側壁を含む形状のガイド部と、
前記側壁の前記挿通方向の一方端に形成された前記媒体側フレーム固定用のフランジと、備え、
前記媒体側フレームは、前記本体側フレームに挿嵌された状態で、前記媒体側フレーム固定用のフランジに略当接する固定部材を備える、記録媒体の取付構造。
【請求項４】
請求項１乃至請求項３のいずれかに記載の記録媒体の取付構造を備えるとともに、
前記装置シャーシを一部とする筐体と、
該筐体内に配設されるとともに、前記記録媒体に接続する制御機能部とを備え、
該制御機能部は、前記記録媒体に記録されたデータを読み出して所定の処理を実行する、電子機器。
【発明の詳細な説明】
【技術分野】
【０００１】
本発明は、ハードディスクドライブ（ＨＤＤ）等の記録媒体をカラオケ装置や各種の再生装置等の電子機器に取り付ける構造に関する。
【背景技術】
【０００２】
従来、カラオケ装置は、膨大な楽曲データを記憶するために、ハードディスクドライブ（以下、「ＨＤＤ」と称する。）が搭載されている。しかしながら、このようなＨＤＤは、振動による誤動作や故障が生じやすい。したがって、ＨＤＤをカラオケ装置に搭載する際には、ＨＤＤに対する振動の抑制構造を備える必要がある。
【０００３】
例えば、特許文献１では、ＨＤＤを装置のシャーシに固定する際に、各固定部およびＨＤＤがシャーシに接触する箇所にダンパおよびクッション材を配設している。
【先行技術文献】
【特許文献】
【０００４】
【特許文献１】特開２００６−１６４３３０号公報
【発明の概要】
【発明が解決しようとする課題】
【０００５】
しかしながら、上述のカラオケ装置のＨＤＤは、装置の動作時に、ほぼ連続的に稼働し続けるものであり、一般的なパソコン等に利用されるＨＤＤと比較して故障の発生頻度が必然的に高くなってしまう。したがって、一般的用途に利用されるＨＤＤと比較して、交換の頻度が高くなる。
【０００６】
このため、従来技術のように、ダンパ等を介してＨＤＤを直接シャーシに固定すると、交換作業の負荷が増加してしまう。また、ＨＤＤに直接ダンパおよびクッション材を設置しておき、シャーシに直接固定する方法では、ＨＤＤの交換毎に、ダンパやクッション材も同時に交換しなければならず、交換コストが高くなってしまう。
【０００７】
したがって、本発明の目的は、交換が容易且つ安価に行える記録媒体の取付構造を提供することにある。
【課題を解決するための手段】
【０００８】
この発明は、記録媒体の取付構造に関する。この記録媒体の取付構造は、所定の筐体を備える記録媒体に装着された媒体側フレームと、該媒体側フレームを着脱可能とし該媒体側フレームの装着時に当該媒体側フレームが固定される形状の本体側フレームと、本体側フレームが載置される装置シャーシとを備える。さらに、この記録媒体の取付構造では、装置シャーシに本体側フレームを固定する固定治具と、本体フレームと、装置シャーシおよび固定治具との間に介在させた緩衝部材と、を備える。
【０００９】
この構成では、記録媒体には媒体側フレームのみが装着されている。媒体側フレームと記録媒体とからなる一体部品は、装置シャーシに固定された本体側フレームに着脱可能になっている。ここで、本構成における着脱可能とは、挿嵌作業および少数の簡素なネジ止め作業等のみで、固定装着できるような構造を示す。そして、本体側フレームは、緩衝部材を介して装置シャーシに固定されている。
【００１０】
したがって、記録媒体は、媒体側フレームとともに、装置シャーシに対して容易に着脱が可能となるとともに、装置シャーシに固定されている場合には、装置シャーシ側からの振動が記録媒体に伝搬されることを、緩衝部材により抑制できる。
【００１１】
また、この発明の記録媒体の取付構造では、本体側フレームは側壁を備える。固定治具は、側壁に対向する第１固定用平板部を備える。側壁と第１固定用平板部との間に、緩衝部材が介在している。
【００１２】
この構成では、水平方向に対する具体的な取付構造を示している。
【００１３】
また、この発明の記録媒体の取付構造では、本端側フレームは、側壁を備えるとともに、該側壁から外方へ突出する平板状のフランジを備える。固定治具は、フランジの平板面と対向する第２固定用平板部を備える。フランジと装置シャーシとの間、およびフランジと第２固定用平板部との間に緩衝部材が介在している。
【００１４】
この構成では、垂直方向に対する具体的な取付構造を示している。
【００１５】
また、この発明の記録媒体の取付構造では、フランジは、本体側フレームにおける側壁に沿った両端近傍にそれぞれ形成されている。第２固定用平板部および緩衝部材は、フランジ毎に備えられている。
【００１６】
この構成では、垂直方向に対する具体的な取付構造を示しており、複数の固定構造を備える場合を示している。このように、複数の固定構造を備えることで、より堅固且つ安定した固定が可能になる。
【００１７】
また、この発明の記録媒体の取付構造では、本体側フレームは、側壁面の内側に沿って媒体側フレームが挿通する、側壁を含む形状のガイド部と、側壁の挿通方向の一方端に形成された媒体側フレーム固定用のフランジと、備える。媒体側フレームは、本体側フレームに挿嵌された状態で、媒体側フレーム固定用のフランジに略当接する固定部材を備える。
【００１８】
この構成では、本体側フレームに対する媒体側フレームの具体的着脱機構を示している。
【００１９】
また、この発明は、上述の記録媒体の取付構造を備えた電子機器の機構に関する。当該電子機器は、さらに、シャーシを一部とする筐体と、該筐体内に配設されるとともに、記録媒体に接続する制御機能部とを備える。そして、電子機器の制御機能部は、記録媒体に記録されたデータを読み出して所定の処理を実行する。
【００２０】
この構成では、上述の記録媒体の取付構造を用いた電子機器の機構について示している。そして、上述の記録媒体の取付構造を備えることで、記録媒体の交換が容易で、且つ、記録媒体に対する振動抑制機構を備えた電子機器を実現できる。
【発明の効果】
【００２１】
この発明によれば、記録媒体の交換が容易且つ安価に行える記録媒体の取付構造を実現することができる。
【図面の簡単な説明】
【００２２】
【図１】本実施形態の記録媒体の取付構造をカラオケ装置（シャーシ）の正面側から見た斜視図である。
【図２】本実施形態の記録媒体の取付構造をカラオケ装置（シャーシ）の背面側から見た斜視図である。
【図３】本実施形態の記録媒体の取付構造におけるＨＤＤを装着した状態での平面図である。
【図４】本実施形態の記録媒体の取付構造におけるＨＤＤを装着した状態での底面図である。
【図５】本実施形態の記録媒体の取付構造におけるＨＤＤを装着した状態での正面図である。
【図６】本実施形態の記録媒体の取付構造におけるＨＤＤを装着した状態での背面図である。
【図７】本実施形態の記録媒体の取付構造におけるＨＤＤを装着した状態での右側面図である。
【図８】本実施形態の記録媒体の取付構造におけるＨＤＤを装着した状態での左側面図である。
【図９】本実施形態の記録媒体の取付構造におけるＨＤＤを装着していない状態での平面図である。
【図１０】装置側シャーシ１０の平面図である。
【図１１】本体側フレーム２０のメインフレーム２１の五面図である。
【図１２】本体側フレーム２０へのダンパ取付構造を示す斜視図である。
【図１３】固定治具３１の五面図である。
【図１４】固定治具３２の四面図である。
【図１５】固定治具４０の三面図である。
【図１６】媒体側フレーム６０の五面図である。
【発明を実施するための形態】
【００２３】
本発明の実施形態に係る記録媒体の取付構造について、図を参照して説明する。本実施形態に示す記録媒体の取付構造としては、カラオケ装置に装着する磁気記録媒体であるハードディスクドライブ（ＨＤＤ）の取付構造を例に説明する。なお、本実施形態では、カラオケ装置へのＨＤＤの取付構造を例にしているが、ＨＤＤ等の内蔵側記録媒体の交換作業を或程度の頻度で行うような他の電子機器に対しても、本実施形態の取付構造は適用が可能であり、有用である。
【００２４】
図１は本実施形態の記録媒体の取付構造をカラオケ装置（シャーシ）の正面側から見た斜視図である。図２は本実施形態の記録媒体の取付構造をカラオケ装置（シャーシ）の背面側から見た斜視図である。図３は本実施形態の記録媒体の取付構造におけるＨＤＤを装着した状態での平面図である。図４は本実施形態の記録媒体の取付構造におけるＨＤＤを装着した状態での底面図である。図５は本実施形態の記録媒体の取付構造におけるＨＤＤを装着した状態での正面図である。図６は本実施形態の記録媒体の取付構造におけるＨＤＤを装着した状態での背面図である。図７は本実施形態の記録媒体の取付構造におけるＨＤＤを装着した状態での右側面図である。図８は本実施形態の記録媒体の取付構造におけるＨＤＤを装着した状態での左側面図である。図９は本実施形態の記録媒体の取付構造におけるＨＤＤを装着していない状態での平面図である。
【００２５】
図１から図９に示すように、本実施形態の記録媒体の取付構造では、装置シャーシ１０に、二個のＨＤＤが装着される。二個のＨＤＤは、装置シャーシ１０の幅方向に対して平行に所定間隔を空けて、配列して装着される。このようなＨＤＤの装置シャーシ１０への装着には、本体側フレーム２０、固定治具３１，３２、４０、ダンパ５１，５２，５３，５４、媒体側フレーム６０を用いる。
【００２６】
概略的な機構としては、まず、装置シャーシ１０には、本体側フレーム２０が、固定治具３１，３２，４０により固定されている（図１から図９参照）。
【００２７】
本体側フレーム２０の固定治具３１，３２による固定箇所（本体側フレーム２０の側面側）には、本体側フレーム２０と固定治具３１，３２との間に、それぞれダンパ５１，５２を介在させている。本体側フレーム２０の固定治具４０による固定箇所（本体側フレーム２０の背面側）には、本体側フレーム２０と固定治具４０との間に、ダンパ５３を介在させている。また、本体側フレーム２０と装置シャーシ１０とが当接する箇所（本体側フレーム２０の正面側）には、本体側フレーム２０と装置シャーシ１０との間に、ダンパ５４を介在させている。
【００２８】
ＨＤＤには、媒体側フレーム６０が装着されている。ＨＤＤを装着した媒体側フレーム６０は、装置シャーシ１０の正面側から、本体側フレーム２０の内側に挿嵌されることで固定される。この際、本体側フレーム２０の背面側のコネクタにＨＤＤの外部端子を接続（嵌合）させるとともに、装置シャーシ１０の正面側に形成された本体側フレーム２０のフランジ２０５（図１１参照）と媒体側フレーム６０の固定部材６２０（図１６参照）をネジ止めすることにより、図１、図２、図３に示すように、ＨＤＤを装着した媒体側フレーム６０を装置シャーシ１０に固定することができる。
【００２９】
一方、この本体側フレーム２０および媒体側フレーム６０の正面側の当接箇所でネジ止めを外し、ＨＤＤを装着した媒体側フレーム６０を装置シャーシ１０の正面側に引き抜くことで、ＨＤＤを装着した媒体側フレーム６０を装置シャーシ１０から外すことができる。
【００３０】
このような構造により、ＨＤＤを装置シャーシ１０に固定した状態では装置シャーシ１０からの振動がＨＤＤへ伝搬することを抑制し、且つ、ＨＤＤを装置シャーシ１０に対して容易に着脱することが可能になる。
【００３１】
次に、具体的な全体機構および各部の機構について説明する。
図１０は装置側シャーシ１０の平面図である。図１１は本体側フレーム２０のメインフレーム２１の五面図である。図１２は本体側フレーム２０へのダンパ取付構造を示す斜視図である。図１３は固定治具３１の五面図である。図１４は固定治具３２の五面図である。図１５は固定治具４０の三面図である。
【００３２】
図１０に示すように、装置シャーシ１０は、幅方向に長く奥行き方向に短い形状からなる。装置シャーシ１０は、底壁１０１、側壁１００ＳＲ，１００ＳＬ、正面壁１００Ｆ、背面壁１００Ｒが、金属板により一体成形されてなる。
【００３３】
底壁１０１には、幅方向の略中央の領域は、装置シャーシ１０の内側へ突出する凸部１０２に整形されている。凸部１０２は、装置シャーシ１０の奥行き方向に沿って長い形状からなる。なお、凸部１０２は奥行き方向に沿って長い形状でなくとも、奥行き方向に沿って複数の凸部が配列した形状であってもよい。
【００３４】
また、底壁１０１には、凸部１０２に対して、装置シャーシ１０の幅方向に所定間隔をおいた両側に、凸部１０３が整形されている。凸部１０３は、装置シャーシ１０を正面側から見て右側に二個、左側に二個形成されている。右側の二個の凸部１０３は装置シャーシ１０の奥行き方向に沿って所定間隔で離間して整形されている。同様に、左側の二個の凸部１０３も装置シャーシ１０の奥行き方向に沿って所定間隔で離間して整形されている。
【００３５】
なお、これらの凸部１０２，１０３は、ＨＤＤの高さを揃えるため等の必要な目的に応じて設ければよく、必要でなければ設けなくてもよい。
【００３６】
このような形状の装置シャーシ１０に対して、図１１に示す形状のメインフレーム２１を有する本体側フレーム２０が設置される。
【００３７】
本体側フレーム２０は、図１２に示すように、メインフレーム２１と背面接続部材２２とからなる。
【００３８】
メインフレーム２１は、幅方向に短く奥行き方向に長い形状からなり、内側にＨＤＤ付き媒体側フレーム６０が収納可能な形状からなる。メインフレーム２１は、底板２０１、側板２０２ＳＲ，２０２ＳＬが、金属板により一体成形されてなる。
【００３９】
底板２０１には、所定パターンで開口部２１０が形成されている。底板２０１の幅方向の両端付近には、奥行き方向に延び、メインフレーム２１の内側へ隆起する凸部２１１がそれぞれ整形されている。装置へのＨＤＤの装着時には、この凸部２１１の上端に、装着された媒体側フレーム６０の底面が当接する。
【００４０】
側板２０２ＳＲ，２０２ＳＬは、底板２０１に対して垂直な平面を有する形状からなり、互いに当該平面同士が平行になるように、整形されている。
【００４１】
側板２０２ＳＲは、底板２０１と反対側の端部が、底板２０１と平行になるように折り曲げられた折り曲げ部２０３Ｒを有する。同様に、側板２０２ＳＬも、底板２０１と反対側の端部が、底板２０１と平行になるように折り曲げられた折り曲げ部２０３Ｌを有する。装置へのＨＤＤの装着時には、これら折り曲げ部２０３Ｒ，２０３Ｌが、媒体側フレーム６０に装着されたＨＤＤの天面に当接する。
【００４２】
このような構成により、側板２０２ＳＲ，２０２ＳＬ、折り曲げ部２０３Ｒ，２０３Ｌ、底板２０１の凸部２１１が、装置へのＨＤＤの着脱時にはガイド機構として機能し、装着時には固定機構の一部として機能する。
【００４３】
側板２０２ＳＲには、平板面の長手方向（奥行き方向）の両端近傍に、側板２０２ＳＲから外方へ向けて延びる形状のフランジ２０４Ｒが整形されている。同様に、側板２０２ＳＬには、平板面の長手方向（奥行き方向）の両端近傍に、側板２０２ＳＬから外方へ向けて延びる形状のフランジ２０４Ｌが整形されている。これらフランジ２０４Ｒ、２０４Ｌは、底板２０１と同一面上に整形されている。
【００４４】
側板２０２ＳＲ、２０２ＳＬの平板面の長手方向の一方端には、固定用フランジ２０５が整形されている。固定用フランジ２０５は、側板２０２ＳＲ、２０２ＳＬの平板面に対して垂直に延びる形状で整形されている。固定用フランジ２０５は、側板２０２ＳＲ、２０２ＳＬから外方に向けて延びる形状からなる。固定用フランジ２０５には、ネジ穴が形成されている。
【００４５】
側板２０２ＳＲ、２０２ＳＬの平板面の長手方向の他方端には、固定用フランジ２０６が整形されている。固定用フランジ２０６も、固定用フランジ２０５と同様な形状で整形されている。
【００４６】
このようなメインフレーム２１に対して、図１２に示すように、背面接続部材２２が固定設置される。背面接続部材２２は、絶縁性樹脂部材と、コネクタを備えた絶縁性基板とから形成される。背面接続部材２２は、メインフレーム２１の固定用フランジ２０６に対してネジ止めされている。これにより、本体側フレーム２０が形成される。
【００４７】
さらに、本体側フレーム２０は、図１２に示すように、ダンパ５１Ｕ，５１Ｄ，５２，５３，５４が貼り付けられている。具体的には、メインフレーム２１の各二個のフランジ２０４Ｒ，２０４Ｌの両平板面の上面に、それぞれダンパ５１Ｕが貼り付けられている。メインフレーム２１の各二個のフランジ２０４Ｒ，２０４Ｌの両平板面の下面に、それぞれダンパ５１Ｄが貼り付けられている。メインフレーム２１の側板２０２ＳＲ，２０２ＳＬの長手方向の略中央位置に、それぞれダンパ５２が貼り付けられている。背面接続部材２２の背面、すなわち、メインフレーム２１への接合側と反対側の面に、ダンパ５３が貼り付けられている。また、メインフレーム２１の正面板にダンパ５４が貼り付けられている。なお、各ダンパ５１Ｕ，５１Ｄ，５２，５３，５４は、それぞれの所定箇所に対して貼り付けられてもよく、単に当接させているだけであってもよい。また、各ダンパ５１Ｕ，５１Ｄ，５２，５３，５４は、全て同じ材質であってもよく、それぞれの設置位置に応じて異なる材質であってもよい。
【００４８】
このように、各所のダンパ５１Ｕ，５１Ｄ，５２，５３，５４が貼り付けられた本体側フレーム２０は、図１３、図１４、図１５に示す固定治具３１，３２、４０により、上述の装置シャーシ１０へ固定される。まず、各固定治具３１，３２，４０の具体的構造を説明する。
【００４９】
図１３に示すように、固定治具３１は、底板３１０、側板３１１，３１２が金属板により一体成形されてなる。固定治具３１は奥行き方向に長く、幅方向に短い形状からなる。側板３１１，３１２は、底板３１０に対して垂直に延びる形状からなる。底板３１０には、長手方向（奥行き方向）の所定位置に、内側へ凹む二個の凹部３１３が整形されている。二個の凹部３１３の形成間隔は、本体側フレーム２０のフランジ２０４Ｒ，２０４Ｌの形成間隔と同じである。凹部３１３の幅は、フランジ２０４Ｒ，２０４Ｌの幅以上で略同じ幅からなる。
【００５０】
図１４に示すように、固定治具３２は、底板３２０、側板３２１，３２２，３２４が金属板により一体成形されてなる。固定治具３２も奥行き方向に長く、幅方向に短い形状からなる。側板３２１，３２２，３２４は、底板３１０に対して垂直に延びて対向する形状からなる。側板３２１，３２２は、底板３１０に対して側板３２４と反対側に整形されており、側板３２１と側板３２４との間隔は、側板３２２と側板３２４との間隔（底板３２０の幅）よりも離間するように整形されている。
【００５１】
側板３２２には、長手方向（奥行き方向）に沿って所定間隔をおいて、フランジ３２３が整形されている。フランジ３２３は、底板３２０を平行になるように整形されている。フランジ３２３の形成間隔は、本体側フレーム２０のフランジ２０４Ｒ，２０４Ｌの形成間隔と同じである。また、フランジ３２３を平面視した形状と、本体側フレーム２０のフランジ２０４Ｒ，２０４Ｌを平面視した形状は略同じである。
【００５２】
図１５に示すように、固定治具４０は、底板４１０、正面板４１１、背面板４１２が金属板により一体成形されてなる。正面板４１１および背面板４１２は、底板４１０に対して垂直に延びて対向する形状からなる。背面板４１２にはネジ穴が形成されている。
【００５３】
次に、具体的な装置シャーシ１０への本体側フレーム２０の固定機構および固定方法を、図４を参照して説明する。
【００５４】
まず、本体側フレーム２０は、装置シャーシ１０の所定位置に載置される。この際、二個の本体側フレーム２０は、それぞれ上述の装置シャーシ１０の凸部１０２，１０３の間に配置される。さらに、二個の本体側フレーム２０は、背面接続部材２２が装置シャーシ１０の背面側となり、各フランジ２０４Ｒ，２０４Ｌが凸部１０２，１０３上に乗るように配置される。
【００５５】
次に、固定治具３１，３２，４０により、本体側フレーム２０を装置シャーシ１０へ固定する。これら固定治具３１，３２，４０による固定は、特に順番は無く、略同時に進行しながら固定すればよい。
【００５６】
＜固定治具３１による固定機構＞
固定治具３１を装置シャーシ１０の凸部１０２の上側から配置する。この際、固定治具３１の凹部３１３が、本体側フレーム２０の各フランジ２０４Ｒ，２０４Ｌを内包するように、配置する。また、固定治具３１の側板３１１，３１２が本体側フレーム２０の側板２０３Ｒ，２０３Ｌに貼り付けられたダンパ５２に当接するように、本体側フレーム２０および固定治具３１を配置する。
【００５７】
この状態で、固定治具３１を、装置シャーシ１０へネジ止めする。この構造により、二個の本体側フレーム２０の装置中央側の各フランジ２０４Ｒ，２０４Ｌは、固定治具３１と装置シャーシ１０とにより狭持されて固定される。
【００５８】
この際、本体フレーム２０のフランジ２０４Ｒ，２０４Ｌには、両平板面にダンパ５１Ｕ，５１Ｄが装着されているので、フランジ２０４Ｒ，２０４Ｌと凸部１０２，１０３との間、およびフランジ２０４Ｒ，２０４Ｌと固定治具３１の底板３１０との間には、ダンパ５１が介在する。これにより、上下動による振動が本体側フレーム２０に伝搬することを抑制できる。
【００５９】
また、固定治具３１の側板３１１，３１２が本体側フレーム２０の側板２０２ＳＲ，２０２ＳＬに対して、ダンパ５２を介して当接しているので、後述の固定治具３２と固定治具３１とで、本体側フレーム２０を幅方向に沿って狭持することができる。この際、固定治具３１と本体側フレーム２０との間にダンパ５２が介在することで、幅方向に沿った振動が本体側フレーム２０に伝搬することを抑制できる。
【００６０】
＜固定治具３２による固定機構＞
二個の固定治具３２を装置シャーシ１０の凸部１０３の上側から且つ各本体側フレーム２０の側面側（上述の固定治具３１と反対の側面側）から配置する。この際、固定治具３２のフランジ３２３が、本体側フレーム２０の各フランジ２０４Ｒ，２０４Ｌと平面視して略重なり合うように、固定治具３２を配置する。さらに、固定治具３２の側板３２１が本体側フレーム２０の側板２０３Ｒ，２０３Ｌに貼り付けられたダンパ５２に当接するように、固定治具３２を配置する。
【００６１】
この状態で、固定治具３２を装置シャーシ１０へネジ止めする。この構造により、二個の本体側フレーム２０の装置両端側の各フランジ２０４Ｒ，２０４Ｌは、固定治具３２と装置シャーシ１０とにより狭持されて固定される。
【００６２】
この際、本体フレーム２０のフランジ２０４Ｒ，２０４Ｌには、両平板面にダンパ５１Ｕ，５１Ｄが装着されているので、フランジ２０４Ｒ，２０４Ｌと凸部１０２，１０３との間、およびフランジ２０４Ｒ，２０４Ｌと固定治具３１の底板３１０との間には、ダンパ５１が介在する。これにより、上下動による振動が本体側フレーム２０に伝搬することを抑制できる。
【００６３】
また、本体側フレーム２０の両側板２０２ＳＲ，２０２ＳＬが固定治具３２と上述の固定治具３１とにより狭持されて固定される。この際、固定治具３２と本体側フレーム２０との間にもダンパ５２が介在することで、幅方向に沿った振動が本体側フレーム２０に伝搬することを抑制できる。
【００６４】
＜固定治具４０による固定機構＞
複数（図では４個）の固定治具４０を、本体側フレーム２０の背面側と装置シャーシ１０の背面壁１００Ｒとの間に配設する。この際、固定治具４０の正面板４１１が本体側フレーム２０に装着されたダンパ５３に当接するように、配置する。この状態では、本体側フレーム２０の前面側に装着されたダンパ５４は、装置シャーシ１０の正面壁１００Ｆの内側に当接している。この状態で、固定治具４０を、装置シャーシ１０へネジ止めする。この構造により、本体側フレーム２０は、装置の奥行き方向に沿った両端で、ダンパ５３，５４を介在した状態で、装置シャーシ１０および固定治具４０により狭持されて固定される。そして、ダンパ５３，５４が介在することで、奥行き方向に沿った振動が本体側フレーム２０に伝搬することを抑制できる。
【００６５】
このように、振動抑制機構を備えながら装置シャーシ１０に固定された本体側フレーム２０に対して、図１１に示す媒体側フレーム６０に固定されたＨＤＤを装着する。図１６は媒体側フレーム６０の五面図である。
【００６６】
図１６に示すように、媒体側フレーム６０は、底板６１０、正面板６１１、側板６１２が金属板により一体形成されてなる。媒体側フレーム６０は、ＨＤＤの表面および背面を除く四面を、外方側からほぼ囲む形状からなる。底板６１０には大きく開口６３０が形成されている。この開口６３０により、媒体側フレーム６０とＨＤＤの駆動回路系基板との接触を防止している。
【００６７】
正面板６１１および側板６１２は、底板６１０に対して垂直に延びる形状からなる。側板６１２の正面板６１１側の端部には、固定部材６２０が形成されている。固定部材６２０は、側板６１２から屈曲して延びる平板部と当該平板部に設けられたネジ部とからなる。
【００６８】
ＨＤＤは、駆動回路系基板側の面が底板６１０側となり、背面側のコネクタが露出するように、媒体側フレーム６０に固定される。このようにＨＤＤと媒体側フレーム６０とが一体化された媒体側一体部材は、上述の本体側フレーム２０のガイド機構に沿って、本体側フレーム２０に装着される。
【００６９】
媒体側一体部材は、本体側フレーム２０に装着されると、ＨＤＤの背面側のコネクタが、本体側フレーム２０の背面接続部材２２のコネクタに挿嵌されて接続される。これにより、媒体側一体部材と本体側フレーム２０とが、装置の背面側で固定される。
【００７０】
また、媒体側一体部材は、本体側フレーム２０に装着されると、固定部材６２０が、本体側フレーム２０の固定用フランジ２０５に当接する。この状態で、固定部材６２０のネジを固定用フランジ２０５のネジ穴に螺合させることで、固定される。これにより、媒体側一体部材と本体側フレーム２０とが、装置の正面側で固定される。
【００７１】
さらに、上述の本体側フレーム２０のガイド機構に沿って挿嵌することで、媒体側一体部材の上下面および側面も本体側フレーム２０に対して固定される。
【００７２】
このように、本実施形態の機構を用いることで、ＨＤＤを装置シャーシに装着した状態では、ＨＤＤが媒体側フレーム６０、本体側フレーム２０を介して装置シャーシ１０に固定されるが、本体側フレーム２０に装着された各ダンパ５１，５２，５３，５４により、装置シャーシ１０からの各種の振動がＨＤＤに伝搬することを抑制することができる。さらに、媒体側フレーム６０およびＨＤＤが、本体側フレーム２０に対して、二個のネジ止めとコネクタ接続のみで固定されているので、ＨＤＤを装置シャーシ１０に対して容易に着脱することができる。
【００７３】
なお、このような機構は、特にカラオケ装置において有用である。カラオケ装置は、上述の装置シャーシ１０を含む筐体内に、ＨＤＤと制御機能部を実現する回路基板とが備えられている。そして、カラオケ装置では、動作時にＨＤＤはほぼ連続的に駆動しており、一般的なパソコン用のＨＤＤよりも駆動頻度が高くなるため、故障確率も高くなりやすい。したがって、交換頻度も必然的に高くなりやすい。一方でカラオケ装置は、外部からの振動を受けやすい。したがって、本実施形態の構成を用いれば、振動対策が為され、メンテナンス性に優れたカラオケ装置を構成することが可能となる。
【００７４】
また、上述の構成におけるフランジ数、ダンパ数、固定するＨＤＤ数等は一例であり、装置仕様等に応じて、その数は適宜設定すればよい。また、上述の説明では、ＨＤＤを例に説明したが、他の記録媒体であっても、上述の構成を適用することができる。
【符号の説明】
【００７５】
１０−装置シャーシ、１０１−底壁、１００ＳＲ，１００ＳＬ−側壁、１００Ｆ−正面壁、１００Ｒ−背面壁、１０２，１０３−凸部、
２０−本体側フレーム、２１−メインフレーム、２０１−底板、２０２ＳＲ，２０２ＳＬ−側板、２０３Ｒ，２０３Ｌ−折り曲げ部、２０４Ｒ，２０４Ｌ−フランジ、２０５、２０６−固定用フランジ、２１１−凸部、２２−背面接続部材、
３１，３２，４０−固定治具、３１０−底板、３１１，３１２−側板、３１３−凹部、３２０−底板、３２１，３２２，３２４−側板、３２３−フランジ、４１０−底板、４１１−正面板、４１２−背面板、
５１Ｕ，５１Ｄ，５２，５３，５４−ダンパ、
６０−媒体側フレーム、６１０−底板、６１１−正面板、６１２−側板、
ＨＤＤ−ハードディスクドライブ
【図１】
0005830838.tif 000002
【図２】
0005830838.tif 000003
【図３】
0005830838.tif 000004
【図４】
0005830838.tif 000005
【図５】
0005830838.tif 000006
【図６】
0005830838.tif 000007
【図７】
0005830838.tif 000008
【図８】
0005830838.tif 000009
【図９】
0005830838.tif 000010
【図１０】
0005830838.tif 000011
【図１１】
0005830838.tif 000012
【図１２】
0005830838.tif 000013
【図１３】
0005830838.tif 000014
【図１４】
0005830838.tif 000015
【図１５】
0005830838.tif 000016
【図１６】
0005830838.tif 000017